(57)【特許請求の範囲】
【請求項１】
粒状物を封入した中空の多面体または球状体からなる複数の中空体を、一列または重列（列を複数重ねた状態）に配列して直線状または螺旋状または放射状の形態に連結した連結ガンザであり、前記中空体を芯となる管状体または棒状体からなる係合部で串刺し状態にし、中空体の端部を他の中空体の端部と連結することにより連続的に連結されるか、または断続的に連結された連結ガンザにおいて、
前記中空体は、底部に連結凹部を設けるとともに先頭部に連結凸部を設けた螺子止め構造であり、螺合状態においては堅固に固着され、かつ螺合を解いて相互に着脱自在に連結装着され、連結した中空体の数を任意に変更することが可能であることを特徴とする連結ガンザ
【請求項２】
前記連結ガンザにおいて、
前記中空体および前記管状体は、封入された粒状物が自由自在に往復移動できるように孔（メッシュや隙間、孔、穴）が設けられており、前記孔の大きさと粒状物の大小によって粒状物を選択的に移動できる構造であることを特徴とする前記請求項１記載の連結ガンザ
【請求項３】
前記中空体は、１または複数の中空体の内部に液体と粒状物を封入可能なように仕切りを設けており、内部に仕切りを設けて粒状物と液体の両方を封入した中空体と、仕切りを設けないで粒状物または液体の片方のみを封入した中空体とを連結結合したことを特徴とする前記請求項１乃至２記載の連結ガンザ
【請求項４】
前記請求項１乃至３記載の連結ガンザにおいて、
前記中空体は、中空体に封入できる程度に小型に形成された前記請求項１乃至３記載の連結ガンザ、または、中空体に封入できる程度に小型に形成された連結されない１または複数の中空体を封入したことを特徴とする前記請求項１乃至３記載の連結ガンザ
【請求項５】
粒状物を封入した中空の多面体または球状体からなる複数の中空体を、一列または重列（列を複数重ねた状態）に配列して直線状または螺旋状または放射状の形態に連結した連結ガンザであり、前記中空体を芯となる管状体または棒状体からなる係合部で串刺し状態にし、中空体の端部を他の中空体の端部と連結することにより連続的に連結されるか、または断続的に連結された連結ガンザにおいて、
前記中空体および前記管状体は、封入された粒状物が自由自在に往復移動できるように孔（メッシュや隙間、孔、穴）が設けられており、前記孔の大きさと粒状物の大小によって粒状物を選択的に移動できる構造であることを特徴とする連結ガンザ
【請求項６】
粒状物を封入した中空の多面体または球状体からなる複数の中空体を、一列または重列（列を複数重ねた状態）に配列して直線状または螺旋状または放射状の形態に連結した連結ガンザであり、前記中空体を芯となる管状体または棒状体からなる係合部で串刺し状態にし、中空体の端部を他の中空体の端部と連結することにより連続的に連結されるか、または断続的に連結された連結ガンザにおいて、
前記中空体は、１または複数の中空体の内部に液体と粒状物を封入可能なように仕切りを設けており、内部に仕切りを設けて粒状物と液体の両方を封入した中空体と、仕切りを設けないで粒状物または液体の片方のみを封入した中空体とを連結結合したことを特徴とする連結ガンザ
【請求項７】
粒状物を封入した中空の多面体または球状体からなる複数の中空体を、一列または重列（列を複数重ねた状態）に配列して直線状または螺旋状または放射状の形態に連結した連結ガンザであり、前記中空体を芯となる管状体または棒状体からなる係合部で串刺し状態にし、中空体の端部を他の中空体の端部と連結することにより連続的に連結されるか、または断続的に連結された連結ガンザにおいて、
前記中空体は、中空体に封入できる程度に小型に形成された連結ガンザ、または、中空体に封入できる程度に小型に形成された連結されない１または複数の中空体を封入したことを特徴とする連結ガンザ
【発明の詳細な説明】
【０００１】
【産業上の利用分野】
本発明は本来は楽器として利用されるブラジルのパーカッションであり、球技の応援用にも玩具にも使用されるガンザに関し、特に粒状物の封入されたガンザを複数の小型の多面体または球状体に分割成形して複数個の多面体または球状体を長手方向中心に連結させた、あるいは芯を貫通させて連結させた連結ガンザに関するものである。
【０００２】
【従来の技術】
マラカスやガンザは、ラテンアメリカン音楽、ブラジル音楽には不可欠なリズム楽器であり、身近に音を出せる楽器としても一般的に親しまれている。楽器としては、ラテン音楽に限らずその他の各種の音楽の演奏にも主要な楽器として使用されている。マラカスやガンザはドラム、ティンパニー等々と並んでラテンパーカッション（打楽器）の一つである。特にブラジルのパーカッションの例としては、スルド、ヘピニーケ、ヘピーケ、ビリンバウ、カシシ、クイーカ、パンデイロ、タンボリン、ガンザ、カヴァキーニョ、ヘコヘコ、アゴゴ等々がある。
この中で、ガンザはマラカスと似ていて、中空の胴部の中に、空胴体の内壁に衝突して音を生ずる砂やプラスチックや鉄片等の小さな粒体を封入している。従って、従来のマラカスやガンザは、良い音を出す為には、演奏技術に相当する一種のこつというものが必要であった。すなわち、封入された粒状物は常に底部に溜まっているので、効率的に封入された粒状物を空胴体の内壁に強く衝突させ、良い音を生じさせるため、粒状物を内部で効果的に飛び跳ねるように容器である楽器全体を振る必要があった。
【０００３】
マラカスは、マラカの実から作った楽器であり、中に残った種子を振り鳴らすことにより音を出すものである。通常は、両手に二個あるいは複数個持ってリズムに合わせて交互または同時に振って音を出すものである。一方、ガンザ（ＧＡＮＺＡ）はいわゆるシェーカーと呼ばれる物で、片手あるいは両手で水平に持って水平状態を維持しながら水平方向と直交する方向にスライドさせる様に振って音を出す楽器である。筒体のサイズも材質も様々であり、時にはビールの空き缶に黒豆を入れて代用としているのを見掛けることもある。
ガンザは片手または両手で振る形式の楽器であり、細長の筒体に粒状物が封入されていて、片手または両手である程度水平状態を維持しながらも、水平方向と直交する方向にスライドさせて振る為に、訓練されたリズム感と技術が必要とされている。すなわち、封入された粒状物に動きを与えると同時に、ガンザ内壁面に粒状物を衝突させるべく、ガンザ全体を旨く効率的に振る必要があり、独特の技術の習得が要求されている。
【０００４】
しかしながら、ガンザという楽器を扱ったことのない人にも容易にきれいな音を出すことができる楽器の開発が望まれていた。楽器として使用する場合は勿論の事、音の出る玩具として使用する場合にも、また、ガンザという楽器を扱った事のない人や子供がスポーツ応援用の器具として振りながら利用出来る形状であって音が比較的明瞭に出る構造のガンザの開発が待たれていた。
【０００５】
【発明が解決しようとする課題】
本発明の目的は、ガンザに関し、特にこの種の楽器を扱ったことのない人にでも、極めて容易に比較的良質の音の出せる楽器を提供することにあり、これと連結させることによりさらにより開発された楽器としてのガンザあるいは連結ガンザであると同時に玩具またはお菓子入り玩具、さらには、発光性等のある不思議なアクセサリーとしても利用できるガンザあるいは連結ガンザを提供することにある。
【０００６】
【課題を解決するための手段】
前記目的を達成するために、本発明に係る連結ガンザは、粒状物を封入した中空の多面体または球状体からなる複数の中空体を一列または重列（列を複数重ねた状態）に配列して直線状または螺旋状または放射状の形態に連結した連結ガンザであり、前記中空体を芯となる管状体または棒状体からなる係合部で串刺し状態にし、中空体の端部を他の中空体の端部と連結することにより連続的に連結されるか、または断続的に連結された連結ガンザにおいて、前記中空体は、底部に連結凹部を設けるとともに先頭部に連結凸部を設けた螺子止め構造であり、螺合状態においては堅固に固着され、かつ螺合を解いて相互に着脱自在に連結装着され、連結した中空体の数を任意に変更する構造である。また、前記連結ガンザにおいて、係合部および中空体は、封入された粒状物が自由自在に往復移動できるように孔（メッシュや隙間、孔、穴）が設けられており、孔の大きさと粒状物の大小によって粒状物を選択的に移動できる構造である。
【０００７】
また、前記中空体は、１または複数の中空体の内部に液体と粒状物を封入可能なように仕切りを設けており、内部に仕切りを設けて粒状物と液体の両方を封入した中空体と、仕切りを設けないで粒状物または液体の片方のみを封入した中空体とを連結結合した構成とすることも出来る。さらに、中空体は、中空体に封入できる程度に小型に形成された連結ガンザ、または、中空体に封入できる程度に小型に形成された連結されない１または複数の中空体を封入した構成でもある。
また、粒状物を封入した中空の多面体または球状体からなる複数の中空体を、一列または重列（列を複数重ねた状態）に配列して直線状または螺旋状または放射状の形態に連結した連結ガンザであり、前記中空体を芯となる管状体または棒状体からなる係合部で串刺し状態にし、中空体の端部を他の中空体の端部と連結することにより連続的に連結されるか、または断続的に連結された連結ガンザにおいて、中空体および前記管状体は、封入された粒状物が自由自在に往復移動できるように孔（メッシュや隙間、孔、穴）が設けられており、前記孔の大きさと粒状物の大小によって粒状物を選択的に移動できる構造である。
【０００８】
粒状物を封入した中空の多面体または球状体からなる複数の中空体を、一列または重列（列を複数重ねた状態）に配列して直線状または螺旋状または放射状の形態に連結した連結ガンザであり、前記中空体を芯となる管状体または棒状体からなる係合部で串刺し状態にし、中空体の端部を他の中空体の端部と連結することにより連続的に連結されるか、または断続的に連結された連結ガンザにおいて、
前記中空体は、１または複数の中空体の内部に液体と粒状物を封入可能なように仕切りを設けており、内部に仕切りを設けて粒状物と液体の両方を封入した中空体と、仕切りを設けないで粒状物または液体の片方のみを封入した中空体とを連結結合した構成とすることも出来る。
粒状物を封入した中空の多面体または球状体からなる複数の中空体を、一列または重列（列を複数重ねた状態）に配列して直線状または螺旋状または放射状の形態に連結した連結ガンザであり、前記中空体を芯となる管状体または棒状体からなる係合部で串刺し状態にし、中空体の端部を他の中空体の端部と連結することにより連続的に連結されるか、または断続的に連結された連結ガンザにおいて、
中空体は、中空体に封入できる程度に小型に形成された連結ガンザ、または、中空体に封入できる程度に小型に形成された連結されない１または複数の中空体を封入した構成とすることも出来る。
【０００９】
【作用】
前記構成の連結ガンザは、複数の多面体または球状体が連続して、あるいは、プラスチック製や金属製等の管状体、棒状体を芯として断続的に一列に連結されており、各多面体または各球状体にそれぞれ振って音を出すための粒状物が封入されているので、極めて容易に音を出すことが可能である。すなわち、粒状物が通常のマラカスやガンザのように底部の一箇所に集中して溜まった状態でなく、各々の多面体または球状体の底部に停滞しているので、ガンザを少しでも動かせば、熟練者の手の動きでなくてもどのような動きであっても、初めてガンザを手にする人でも追随して粒状物は多面体または球状体の内壁面に衝突して音を生ずる。
また、ガンザを構成する粒状物を封入した中空体が一列または螺旋状、放射状に複数連結されているので、音が容易に発生する構造である。
さらに、中空体は、個々に分離できる構成であり、その中に封入される粒状物を取り出せる構造であり、菓子・小粒のサッカーボール・固形の選手カード・アクセサリー小物・知育玩具・ジグゾーパズル小片・口臭消臭剤・消臭剤の粒子等の各種の小物を封入することにより、使用前後に分解したり、取り出して遊ぶことが可能である。複数の中空の多面体または球状体を、相互に螺子止め構造やあるいは係合する構造とすることにより堅固に固着された状態から螺合を解くことにより分離出来る着脱自在な構成としている。
中空体の中に同時にまたは別々に液体および粒状物を封入したもの等、中空体の中に粒状物を封入したもの等を複合的に一列に、放射状、螺旋状に、重列的に、断続的に、直線的に連結することにより、飲料物質等を封入した中空体を粒子の入った中空体と交互に連結させた連結ガンザとして構成している。
【００１０】
【実施例】
以下、本発明に係る連結ガンザの構成を添付図面に示した一実施例に基づいて詳細に説明する。
図１は連結ガンザの一実施例の部分断面図であり、図２は連結部と管状体の孔を示す図１のＡ−Ａ断面図である。連結ガンザ１０は、多面体または球状体２０と、球状の容器の中に封入された粒状物３０と連結のための芯となる管状体４０とから成る。
【００１１】
連結ガンザ１０は、粒状物３０の封入された中空の多面体または球状体２０を複数個並べて一列に連結した構成である。多面体または球状体はこの実施例では外形がサッカーボール形状に成形されている。ただし、多面体または球状体は、立方体等であれば真球であることは必要なく、内部が中空で粒状物を封入できる形状であれば、その外形は何面の多面体であるか、または球状体であるか、また材質は金属製・プラスチック製等であるかを問わない。また、各球状体はそれぞれ独立していて中空の内部は連通していないので、内部に封入した粒状物は隣接する球状体に移動しない構造となっている。
たとえ粒状物の入った連続した中空の多面体または球状体を分解若しくは分離したとしてもその係合部からは粒状物が溢れない様に、中空の多面体の内壁側にもう一枚内壁を形成し、あるいは係合部に凹凸や仕切りを造ることにより、粒状物が漏れない様に、二重構造とすることも可能である。
また、芯となる管状体４０で堅固に連結結合した構成である。図１に示す実施例では、５個の球状体を、一列に配置し、その長手方向の中心に金属製または硬質プラスチック製等の棒状体または管状体等を芯として装着し、複数の球状体を串刺し状態等に堅固に連結する等して分離不可能な状態に連結している。構造としては、後述するような分割または一部分割可能な構造であってもよい。連結される球状体の数は限定されるものではなく、現実に３個の連結ガンザも実施されている。
【００１２】
粒状物を封入した中空体は同径のあるいは径の異なる各種の形状からなり、螺旋状に、重列的に、一列に、断続的に、直線的に複数連結した構成であってもよい。また、材質的には、合成樹脂で形成することの他に、金属製、ガラス製さらには木製、またはその他の材質によって作られたものであってもよい。更に、中空体の内部に液体を封入する事も可能である。粒状物を封入すると同時に液体も封入し、膜や網で粒状物が流出しないようにすることにより液体消費後（排出除去）にガンザとして使用する構成とすることも可能である。単独の中空体の中に液体および粒状物を封入した中空体、単独の中空体の中に仕切りを付けることにより、別々に液体と粒状物を封入した中空体、あるいは、別々に液体だけと粒状物だけを封入した各中空体とを一列に、重列的に、断続的に、放射状に、螺旋状に、直線的に連結してこれらを配列することにより、連結ガンザを構成することも可能である。
【００１３】
多面体２０は球状体であってもよいが、図で示した実施例では、直径６４mmの中空の球状体からなり、その内部は後述する粒状物３０が封入されている。多面体または球状体の大きさは自由であり、この実施例の直径に限定されるものではなく、また、肉厚も適当な重さがあれば壁面の厚さも限定されるものではない。また、球状体の材質として、ここではプラスチック等の合成樹脂が使用されているが、材質はこれに限定されるものではない。
また、統一的に色彩を施すことも別個の色彩を付することも可能である。サッカーボール形状に球体に模様を付けることも可能であり、また、サッカーボール形状の多面体とし、さらに各種の色彩を施すことも可能である。また、それぞれの多面体または球状体に各サッカーチームのチームカラーを塗布することも可能である。サッカーに限らず、色々なカラーを塗布したり、装飾することも可能である。
更に、全体または部分的に透明または半透明にあるいは全体または部分的に不透明に作成して球状体の内部に封入された粒状物が見える構成にしたり、芯となる管状体に発光体を装着したり、発光物質を塗布したり、あるいは中空の多面体の内壁や中空の多面体中の粒状物に発光色素や発光物質を塗布したり、粒状の発光体または発香体を混合、混入したりする応用例も可能である。また、芯となる管状体は素材によっては百足の様に自由に動かせるものも可能である。
さらには、管状体、棒状体は必ずしもプラスチック製、金属製等に限定さるものではなく、ゴム状等の伸縮自在であってもよい。
【００１４】
中空体の外殻を固いチョコレートで構成することも可能であり、中空の多面体の形をしたサッカーボール型の菓子のチョコレートの中にさらに粒状の菓子等を封入した音の出る構成にすることも可能である。また、チョコレートの外殻の中に連結ガンザを封入する使用例も可能である。多面体または球状体２０を相互に摺動自在に接合した二重の壁からなる、あるいは複数枚の層からなる壁面で構成し、又は、二層あるいは複数枚の層の外面等これら壁面をスライドさせることにより、外球状面に描かれた模様と内球状面に描かれた模様とを交換することができる。これにより、サッカー選手の顔写真に代えてカレンダーの文字等が現れる構成とすることも可能である。
また、連結ガンザを複数本並べて全体を支持する枠体の中に嵌め込むことにより、複数の連結ガンザを同時に使用した大容量の楽器を提供することが可能となる。あるいは、独立したガンザを堅固に固定させた枠体や物体に嵌め込むことによって複数のガンザを同時に使用した大容量の楽器や、オブジェを作ることも可能である。
【００１５】
粒状物３０は、振って音を出すための粒であり、球状体の中に複数個が封入され、連結ガンザの全体を振動させることにより、球状体の内壁に当たって音を生ずるものである。粒状物の大きさは複数の粒状物を球状体の中に封入できる程度の大きさであれば足り、第１の実施例では、ガラスチップ（２０グラム程度）あるいは鉄片等が使用されている。粒状物の素材として音質を保つ趣旨からは、硬質のベアリングに使用するボールのような鉄製の金属粒が望ましいが砂粒等であってもよい。封入する粒状物の硬度と粒径によって異なる音質の音を出す演出をすることが出来る。複数の球状体に統一的に同一の種類の粒状物を封入する必要はなく、各球状体に種類の異なる粒状物をそれぞれ封入することも可能である。また、その径も自由であり、球状体に限定されることはない。
このことによって、係合部に中空体の中に封入した粒状物よりも径の小さな孔があり、粒状物の径が孔より大きいため、この粒状物は隣接した中空体の方へ自由に移動することができず、あるいは、この粒状物が孔より小さいため、この粒状物は、隣接した中空体の方へ移動することができる構造である。また、さらに、径の異なる粒状物を入れることにより、これら双方の現象を成立させることが可能となる構造である。
【００１６】
また、図２で示す実施例では封入した粒状物を取り出すことが出来るように各球状体が連結ガンザから分離できるように、係合部５０を介して各ガンザ全体を各球状体毎に分解できる構造にしている。封入した粒状物は分解した球状体の芯（管状体）を抜いた孔５２または係合部の係合を外した部分に孔を設けてそこから取り出すことができる。従って、封入する粒状物は必ずしもボールベアリングのような粒径の極小のものである必要はなく、例えば、小粒のチョコレート菓子（サッカーボールの模様入りチョコレート）・金平糖・キャンディー（小粒飴）・選手顔写真入りカード、更には、アクセサリー小物・知育玩具・ジグゾーパズル小片・口臭消臭剤、消臭剤等々であっても良い。
【００１７】
係合部４０は分解可能な連結ガンザを連結結合する部位で、各球状体または多面体の底部に連結凹部が設けられ、先頭部に連結凸部が設けられている。この凸部と凹部は螺子止め構造等、係合する構造がなされており、相互に螺合連結される構造である。連結の方法はこの実施例では、螺合する方法が採られているが、回動させないで、ワンタッチで嵌合するような着脱自在な係合方法であってもよい。螺合を解くことにより連結ガンザを構成する各多面体または球状体は分離する構造である。また、凸部と凹部の中央部には封入された粒状物を取り出す孔５２が穿設されている。取り出し孔には蓋を設けることもできる。この取り出し孔に代えて、サッカーボール形状の多面体の一つ又は一部の面にスライド式等の様に、開閉自在に構成することも多面体の一部の面、あるいは全体をスライド式等の様に開閉自在に構成することもが可能である。あるいは、多面体の複数枚の層の面あるいは複数枚の層よりなる面を逆回転等することにより、スライド式等の様に開閉自在に構成することも可能である。これにより、係合部の中央に開口孔がなくても封入された粒状物をスライド開閉孔から取り出し可能となる。また係合部材等をつけることにより、中空の多面体に封入された粒状物は隣接した中空の多面体の中に移動しないような構造となっている。
また、粒状物の入った中空の多面体又は球状体を分離若しくは分解したとしても、中空の多面体の内壁にもう一枚あるいは、複数枚内壁を形成し、あるいは、係合部に凹凸や仕切りをつくることにより、粒状物が漏れない様な構造とすることもでき、逆に、封入された粒状物をスライド開閉孔等から取り出すことも可能である。
【００１８】
封入される粒状物３０は、係合部５０の孔５２から取り出す必要があるので、係合部５０の孔５２の径より小さな幅であることが必要である。但し、粒状物がこぼれ落ちないような工夫（口を狭める等）が必要となる場合もある。液体と粒状物が封入される実施例にあっては、口を狭めるだけに限らず、液体だけが流出し、粒状物が落下しないようにメッシュ（網）構造等とするか又は粒状物が流出しない径の小孔を複数個穿設した構成とする。
連結ガンザの係合の強度を強める為に、連結係合部を超音波加工等で堅固に固着することも考えられる。この場合でも、他に個々の球状体または多面体は係合部を操作することにより連結ガンザ本体から分離することが可能であり、中に封入された物は係合部の孔から排出できる構造である。逆にまた、粒状物を封入した連続した中空の多面体や粒状物を封入した多面体等を分離又は分解したとしても、その係合部からは粒状物が溢れ無い様に、上記多面体等の内壁側にもう一枚、あるいは、複数枚、内壁を形成し、あるいは、係合部に凹凸や仕切りをつくることにより、粒状物が溢れ無い様に、二重構造等にすることもできる。また、靴の飾り又はアクセサリー等となるようなものを球状中空体の中に封入する事も考えられ、更に、中空体自体を靴の飾りとして使用する使用例も考えられる。
【００１９】
別の実施例としては、球状あるいは多面体状中空体をライターの胴部に設け、中に例えば仁丹（登録商標）のような芳香口臭剤等を取り出す等自由自在に封入することにより、禁煙を始めた人に、ライターを使用する都度、禁煙を促し、芳香消臭剤等を口に含むことにより喫煙を避けさせる効果を持たせることも可能である。禁煙者向けに限定されないが、口臭消臭剤、消臭剤等を封入することにより様々な使用が可能となる。また、振ると音が出ると共に、振ることにより化学反応を起こして冷却する、あるいは暖かくなる化学剤や化学物質等を封入することも可能である。更に、化学剤や化学物質等として、振ることにより発光する化学剤や化学物質等を、あるいは、振ることにより中空の多面体の中に封入された粒状物や発光物質等を塗布した粒状物や中空の多面体の中に封入された発光体が、発光物質等を塗布した中空の多面体等の内壁にぶつかることにより、あるいは粒状物同士がぶつかることにより発光する化学剤や化学物質等を封入することも可能である。
【００２０】
管状体４０は、この実施例では金属製等または合成樹脂製（たとえば、プラスチック又はＡＢＳ樹脂）等の管状体であり、複数の球状体を長手方向の中心で串刺しにして一体的に固着するものである。管状体と棒状体が交互に仕切られた状態等、また管状体が一枚あるいは複数枚の壁によって仕切られた状態等にすることもできる。また、管状又は棒状であれば、その形状は波を打っていてもストレートであっても良い。一本の頑強な管状または棒状体で串刺しにした構造であるので、この実施例の連結ガンザはガンザの端部を握って強く振ったとしても壊れる虞れはない。また、芯となる管状体又は棒状体等は素材によっては自由に動かせるものも可能である。
管状体の内部にも、金平糖やチョコレートのような小粒の菓子を封入することが出来る。
【００２１】
また、図２で示す実施例では、粒状物を封入した複数の多面体または球状体が、連結装着されている状態から分離可能な構成にしている。個々の球状体はそれぞれ係合部で堅固に連結固定される構造となる。この場合、連結係合部材で相互に連結している構成と、芯体のある構造で、芯体となる棒状体または管状体を介在する必要がある場合は、組み立て時に芯材が付加され、解体時に芯体から離脱させる構成とすることも可能である。
図面に示す実施例は、螺合する形式であり、係合部には凸部と凹部とが設けられており、一方の凸部と他方の凹部とを重ね合わせて押し込んでから回動させて係合する着脱可能な方式とすることも可能である。
管状体を抜いた穴５２から内部に封入した菓子等を取り出せる構成である。穴５２の大きさは中に封入された粒状物よりも径が大きく構成されており、中の物が取り出せる構成である。しかし、粒状物の材質により、粒状物よりも径が小さく構成されていてもよい。
【００２２】
別の実施例としては、粒状物を封入した合成樹脂（たとえば、プラスチック又はＡＢＳ樹脂）製あるいは金属製等の多面体または球状体を、不透明あるいは透明または半透明に形成し、串刺し状態に硬質プラスチック製あるいは鉄製等の管状体又は棒状体を長手方向の中心に芯として装着するとともに、管状体を分割し、その各部に発光体や電池を配置し、端部には電源を配置して、通電させることにより一列に連結されたあるいは断続的に、重列的に、放射状に、螺旋状に、直線的に連結された複数の球状体を各種の色彩に着色発光させる構成がとられている。
管状体の一端に電源となる電池の挿入部を設け、管状体の全体に渡って、あるいは多面体壁面全体や一部等にも、また粒状物にも発光体を装着し、あるいは、また、多面体壁全体や一部等また粒状物にも発光物質を塗布している。電池は交換可能なように、芯体である管状体の端部は開閉自在に構成されている。また、電池と発光体との配線は、通常は直列であるが、個々の部位での断線を考えて並列にすることも可能である。
スイッチ部分は手元に設けることができるが、面状の継電器を用いて、球状体の外面を押圧した状態でＯＮとなり、押圧状態を解除すると通電状態が切れてＯＦＦとなるような構成等にすることも可能である。
また、間欠的に発光させるように構成することも可能であり、交互に発光させたり、発光に順序を付けて順次発光する形式にすることも可能である。
【００２３】
【発明の効果】
本発明に係る連結ガンザは上記詳述した通りの構成であるので、次のような効果がある。
一連に連結された複数の中空の多面体及び球状体等がそれぞれ独立しており、また、これらの中空の多面体や球状体等の内壁に凹凸状態や、壁、係合部材等を設置することによって、空間を仕切られた構造となり、その中にそれぞれ粒状物を封入しているので、粒状物がガンザの底部分に集中する事がないので、従来のガンザと比較して、粒状物が均等に各所に配置されているので、誰にでも（例えこの種の楽器を扱ったことのない初心者であっても）、片手で連結ガンザを握って軽く振ることにより、粒状物は球状体の内壁に良く当たり易く、極めて容易に比較的きれいな音を創作することができる。従って、簡便であるとともに、少ない力を加えただけで確実に音が出る点で画期的である。直線的に一列に連結されたガンザの他に、径の異なる中空体を連結することも考えられ、更にこれらを螺旋状に連結したガンザも有効に音を発生することができる。あるいは、直線的に連結する以外にも断続的、重列的、螺旋状、放射状等の様に中空体を連結することも考えられる。
【００２４】
単に楽器として使用する外にも、玩具またはスポーツ観戦の際の応援用小道具として、さらに単純にアクセサリーまたは発光するアクセサリーとしても気軽に利用することができる。
また、多面体または球状体が連続した本体から分離可能であり、その内部および管状体の内部に封入した各種の菓子・カード・小物・アクセサリー小物・知育玩具・ジグゾーパズル小片・口臭消臭剤・消臭剤・健康飲料等を取り出すことの出来る構成であるので、より広範囲の需要者にお菓子入りの玩具等として利用される可能性がある。また、一枚あるいは複数枚の壁で仕切られ、あるいは凹凸のある係合部材等によって仕切られた中空の多面体の一部に液体を封入することにより、清涼飲料・健康飲料等を封入して販促に利用できるとともに、飲料消費後は、ガンザとしても使用できる玩具兼楽器としても利用できる。
【図面の簡単な説明】
【図１】  本件発明に係る連結ガンザの一実施例を示す部分断面図である。
【図２】  図１Ａ−Ａ断面図である。
【符号の説明】
１０  連結ガンザ
２０  多面体または球状体
３０  粒状物
４０  管状体
５０  係合部
５２  孔
【図１】
0003682093.tif 000002
【図２】
0003682093.tif 000003